(57)【要約】【課題】ノートＰＣ用ポートリプリケータとセキュリティワイヤの両機能を兼ね備えたノートＰＣ用盗難防止機能付きポートリプリケータを提供することを目的とする。【解決手段】ノートＰＣに接続し、外部機器とセキュリティワイヤとの接続を一括して行うノートＰＣ用ポートリプリケータであって、ポートリプリケータ部１２と、入出力端子部１４−１と、電源供給端子部１４−２と、ロック部１４−３とを有する入出力端子・ロック部１４と、各種入出力信号線１５−１と、電源線１５−２と、セキュリティワイヤ１６との複合体であるケーブル・ワイヤ１５と、を備えた盗難防止機能付きポートリプリケータであり、入出力端子・ロック部１４をノートＰＣの側部に対応する接続部に一括接続するだけで、ノートＰＣの各種入出力信号、外部電源の接続、セキュリティワイヤの係留を一度に行うことができ、利便性にすぐれ、且つセキュリティの煩わしさもなくなる。【選択図】図１
2009020557.tif 000002
【特許請求の範囲】
【請求項１】
ノート型パーソナルコンピュータに接続し、外部電源供給と、ＬＡＮ接続、ＵＳＢ接続などによる外部機器との接続を一括して行うノート型パーソナルコンピュータ用ポートリプリケータであって、
外部機器接続端子と、外部電源供給を受けるＤＣジャックとを有するポートリプリケータ部と、
各種入出力信号の授受のためのドッキング用コネクタと、外部電源供給を受ける電源端子と、セキュリティワイヤロック装着用の穴を本体側部に有する前記ノート型パーソナルコンピュータに対して一括して着脱可能に構成され、
前記ドッキング用コネクタと接続する入出力端子部と、前記電源端子と接続する電源供給端子部と、前記セキュリティワイヤロック装着用の穴と係合するロック部と、を有する入出力端子・ロック部と、
前記ドッキング用コネクタからの各種入出力信号を前記ポートリプリケータ部の外部機器接続端子に伝える複数線から成る各種入出力信号線と、前記電源供給端子部に接続され前記ノート型パーソナルコンピュータに電源供給する電源線と、一方は前記ロック部に接続され、他方は静止物に容易に係留できるように処理されたセキュリティワイヤと、の複合体ケーブルであるケーブル・ワイヤと、
を備えたことを特徴とする盗難防止機能付きポートリプリケータ。
【請求項２】
前記ケーブル・ワイヤは、一方は前記ロック部に接続され、他方は前記ポートリプリケータ部を経由して、環状に処理された端部に至る構成であることを特徴とする請求項１記載の盗難防止機能付きポートリプリケータ。
【発明の詳細な説明】
【技術分野】
【０００１】
本発明はノート型パーソナルコンピュータ（以下、ノートＰＣ）の機能を拡張するための複数種類の周辺機器を接続するポートリプリケータに関し、ノートＰＣの盗難を防止するセキュリティワイヤを用いて、これと接続したノートＰＣの盗難を防止できるようにした盗難防止機能付きポートリプリケータに関するものである。
【背景技術】
【０００２】
近年、ノートＰＣの小型化及び軽量化を図るために、比較的重要な機能のみがノートＰＣには組み込まれている場合が多くなっている。このように機能を限定したノートＰＣの特徴は他の周辺機器と接続することにより機能拡張が可能なことであり、例えばキーボード、マウスなどの入力装置、ＣＤ／ＤＶＤディスクドライブなどの記憶装置、或いは、プリンター、外部ディスプレイなどの出力装置とを接続することにより種々の機能を拡張できる。
【０００３】
これらの機能拡張用の周辺機器とノートＰＣとはそれぞれ専用のコネクタコードで接続できるものもあるが、ポートリプリケータを用いて周辺機器とノートＰＣを接続するケースも年々増えている。
【０００４】
ポートリプリケータとはノートＰＣ用の機能拡張ユニットであり、シリアルポートやパラレルポート、ＰＳ／２ポート、ＵＳＢポート、外部ディスプレイ出力コネクタなどの接続端子、ノートＰＣの外部電源を備えた小型の機器である。サイズや重量に制限の多い小型のノートＰＣでは、あまり使わないコネクタや、携帯時には不要なコネクタや、ＡＣコンセントより電源供給を受ける場合の外部電源は、まとめてポートリプリケータに実装し、必要に応じて利用するようになっている。
【０００５】
また、ノートＰＣは小型軽量化が進み、持ち運びが容易となってきたが、反面、不正なユーザがこれら機器を無断で持ち去るという盗難行為も増えてきた。とりわけ、ノートＰＣは、処理能力の向上や普及も相まって、盗難の対象となり易い。さらには、ノートＰＣに着脱自在に装着された周辺機器類も被害を受けることもある。
【０００６】
ノートＰＣ本体については、いわゆるセキュリティワイヤを用いることにより、比較的容易に盗難防止を実現することができる。
【０００７】
セキュリティワイヤとはパソコン盗難防止用の鍵とワイヤがセットになったもので、ケンジントン（Kensington）社より発売されているものが有名であり、ケンジントンロック（Kensington Lock、登録商標）とも呼ばれている。通常は、持ち運びが簡単なノートＰＣに使用するが、最近はデスクトップ型も小型になり、簡単に持ち運べることができるので、デスクトップでもケンジントンロック装着用の穴を設けている機種もある。
【特許文献１】特開２００１−５５４８号公報
【特許文献２】特開平１１−１４３５７７号公報
【特許文献３】特開平１１−３９０５３号公報
【特許文献４】特開２００６−２４１７５８号公報
【特許文献５】特開２００４−３６０２３９号公報
【発明の開示】
【発明が解決しようとする課題】
【０００８】
従来のポートリプリケータには電源供給や外部機器との接続を行う機能があり、盗難防止セキュリティを考慮すると別途セキュリティワイヤと接続する必要があった。
【０００９】
しかし、セキュリティワイヤと接続しなくても電源供給や外部機器との接続ができるため、また、常に一箇所に固定して使用するわけではないノートＰＣでは、セキュリティワイヤの係留忘れが発生する。
【００１０】
本発明はノートＰＣ用ポートリプリケータとセキュリティワイヤの両機能を兼ね備えたノートＰＣ用盗難防止機能付きポートリプリケータを提供することを目的とする。
【課題を解決するための手段】
【００１１】
本発明の請求項１に記載の発明は、
ノート型パーソナルコンピュータに接続し、外部電源供給と、ＬＡＮ接続、ＵＳＢ接続などによる外部機器との接続を一括して行うノート型パーソナルコンピュータ用ポートリプリケータであって、
外部機器接続端子と、外部電源供給を受けるＤＣジャックとを有するポートリプリケータ部と、
各種入出力信号の授受のためのドッキング用コネクタと、外部電源供給を受ける電源端子と、セキュリティワイヤロック装着用の穴を本体側部に有する前記ノート型パーソナルコンピュータに対して一括して着脱可能に構成され、
前記ドッキング用コネクタと接続する入出力端子部と、前記電源端子と接続する電源供給端子部と、前記セキュリティワイヤロック装着用の穴と係合するロック部と、を有する入出力端子・ロック部と、
前記ドッキング用コネクタからの各種入出力信号を前記ポートリプリケータ部の外部機器接続端子に伝える複数線から成る各種入出力信号線と、前記電源供給端子部に接続され前記ノート型パソコンに電源供給する電源線と、一方は前記ロック部に接続され、他方は静止物に容易に係留できるように処理されたセキュリティワイヤと、の複合体ケーブルであるケーブル・ワイヤと、
を備えたことを特徴とする盗難防止機能付きポートリプリケータ、としたものであり、
盗難防止機能付きポートリプリケータを構成する入出力端子・ロック部をノートＰＣの側部に対応するドッキング用コネクタ、電源供給端子、セキュリティワイヤロック装着用の穴に一括接続するだけで、ノートＰＣの各種入出力信号、外部電源の接続、セキュリティワイヤの係留を一度に行うことができ、利便性にすぐれ、且つセキュリティの煩わしさもなくなるという作用を有する。
【発明の効果】
【００１２】
以上のように本発明は、入出力端子・ロック部をノートＰＣの側部に対応する接続部に一括接続するだけで、ノートＰＣの各種入出力信号、外部電源の接続、セキュリティワイヤの係留を一度に行うことができ、利便性にすぐれ、且つセキュリティの煩わしさもなくなるという優れた効果が得られる。
【発明を実施するための最良の形態】
【００１３】
以下、本発明の実施の形態について、図１から図２を用いて説明する。
【００１４】
（実施の形態１）
図１は、本発明のノートＰＣ用盗難防止機能付きポートリプリケータとノートＰＣを示す図である。
【００１５】
図２も同様に、ノートＰＣ用盗難防止機能付きポートリプリケータとノートＰＣを模式的に示す図である。
【００１６】
図１、図２において、１１はノートＰＣである。１２はポートリプリケータ部であり、ＬＡＮコネクタ、外部ディスプレイコネクタ，ＵＳＢコネクタ、ＡＣアダプタ１３から直流の電源供給を受けるＤＣジャックと、さらにケーブル・ワイヤ１５（１６を含む、以下代表して１５）を介して接続された入出力端子・ロック部１４を備える。
【００１７】
ノートＰＣ１１の本体側部には、各種入出力信号の授受のための通常数十からなるコネクタ・ピンを含むドッキング用コネクタ（図示せず）と、外部電源から電源供給を受ける電源端子（図示せず）、セキュリティワイヤロック装着用の穴（図示せず）を有する。
【００１８】
入出力端子・ロック部１４には、入出力端子部１４−１、電源供給端子１４−２とロック部１４−３とが配置され、入出力端子部１４−１はドッキング用コネクタと、電源供給端子１４−２はノートＰＣ電源端子部と、ロック部１４−３はノートＰＣのセキュリティワイヤロック装着用の穴とに対応して接続、取り外し可能に、かつそれぞれ別々でなく、一度に着脱を行うことが出きるように配置、構成されている。
【００１９】
ケーブル・ワイヤ１５は、ノートＰＣ１１からの複数線から成る各種入出力信号線１５−１、電源線１５−２、セキュリティワイヤ１６をまとめて１本にした複合体になっており、セキュリティワイヤ１６の一方はロック部１４−３に頑強に接続され、他方はポートリプリケータ部１２を経由して、静止物（柱など）に容易に係留できるように端部は環状に処理されている。
【００２０】
なお、ＡＣアダプタ１３は、ＡＣプラグを介してＡＣコンセントに接続して、取り出した商用電源（交流）を直流電圧に変換して、ポートリプリケータ部１２のＤＣジャックに接続し電力供給する。
【００２１】
また、１７は鍵であり、ロック部１４−３の鍵穴に挿入してノートＰＣ１１と入出力端子・ロック部１４を固定し、ロックできるように構成している。
【００２２】
以上のように構成したノートＰＣ用盗難防止機能付きポートリプリケータについて、図１、図２を用いてその動作を説明する。
【００２３】
本発明のノートＰＣ用盗難防止機能付きポートリプリケータの入出力端子・ロック部１４をノートＰＣ１１の側部に対応するドッキング用コネクタ（図示せず）、電源端子（図示せず）、セキュリティワイヤロック装着用の穴（図示せず）に一括接続して、鍵１７をロック部１４−３の鍵穴に挿入、ロックする。セキュリティワイヤ１６の環状端部は簡単には移動できない机の脚のような柱に係留して固定する。さらに、ＡＣアダプタ１３のＡＣプラグをＡＣコンセントに接続する。
【００２４】
ノートＰＣ１１の各種入出力信号は、入出力端子・ロック部１４の入出力端子部１４−１、ケーブル・ワイヤ１５の各種入出力信号線１５−１を介してポートリプリケータ部１２のＬＡＮコネクタ、外部ディスプレイコネクタ，ＵＳＢコネクタ等の各種端子に伝えられる（図２、太い実線）。
【００２５】
直流電源は、ＡＣコンセントよりＡＣアダプタ１３によって交流／直流電力に変換されて、ポートリプリケータ部１２、電源線１５−２、電源供給端子部１４−２を介してノートＰＣ１１に供給される（図２、一点鎖線）。
【００２６】
また、ノートＰＣ１１のセキュリティに関して、セキュリティワイヤは、ノートＰＣ１１に設けられたセキュリティワイヤロック装着用の穴（図示せず）、ロック部１４−３、セキュリティワイヤ１６、ポートリプリケータ部１２を経由し、再度セキュリティワイヤ１６を介して、環状端部は柱に係留されるので、容易には持ち去ることはできない（図２、破線）。
【００２７】
よって、入出力端子・ロック部１４をノートＰＣ１１の側部のドッキング用コネクタより一括取り外しすれば、ノートＰＣ１１はそのまま移動してバッテリー（内部電源）駆動で使用することができる。あるいは、入出力端子・ロック部１４をノートＰＣ１１の側部のドッキング用コネクタ一括して取りつければ、外部機器接続、外部電源接続、セキュリティワイヤ接続を一度に行うことができる。
【００２８】
以上のように本実施の形態のノートＰＣ用盗難防止機能付きポートリプリケータによれば、盗難防止機能付きポートリプリケータを構成する入出力端子・ロック部１４をノートＰＣ１１の側部に対応するドッキング用コネクタ、電源供給端子、セキュリティワイヤロック装着用の穴に一括接続するだけで、ノートＰＣ１１の各種入出力信号、外部電源の接続、セキュリティワイヤの係留を一度に行うことができ、利便性にすぐれ、且つセキュリティの煩わしさもなくなる。
【００２９】
従って、この盗難防止機能付きポートリプリケータを屋内の机上に設置し、ＡＣアダプタをＡＣコンセントに接続し、またはセキュリティワイヤを静止物に係留しておき、ノートＰＣを屋内の机上で使用するときには入出力端子・ロック部１４を一括接続すれば電源供給、外部機器接続、セキュリティワイヤ接続が一度に行うことができ、セキュリティワイヤ接続忘れもなくなるのでノートＰＣの外部機器との接続の簡略化とセキュリティ強化に有効である。
【００３０】
なお、入出力端子・ロック部１４のノートＰＣ１１装着時に、鍵１７をロック部１４−３の鍵穴に挿入してノートＰＣ１１と入出力端子・ロック部１４を固定、ロックできるように構成するとしたが、入出力端子・ロック部１４のノートＰＣ１１への一括接続と同時にロックされるような構成であれば、さらにセキュリティワイヤ接続忘れもなくなるのでセキュリティ強化には好適である。
【００３１】
また、ＡＣアダプタ１３に変えて大容量の外部バッテリーをポートリプリケータ部のＤＣジャックに接続してもよい。この場合、外部バッテリーとは、車載を想定したものであり、シガレットライターから専用コードでＤＣジャックに接続する。
【産業上の利用可能性】
【００３２】
本発明にかかる盗難防止機能付きポートリプリケータは、ノートＰＣの盗難防止を好適に実現可能な、可搬性にも優れたノートＰＣ用盗難防止機能付きポートリプリケータ等として有用である。
【図面の簡単な説明】
【００３３】
【図１】本発明のノートＰＣ用盗難防止機能付きポートリプリケータとノートＰＣを示す図
【図２】ノートＰＣ用盗難防止機能付きポートリプリケータとノートＰＣを模式的に示す図
【符号の説明】
【００３４】
１１  ノート型パーソナルコンピュータ（ノートＰＣ）
１２  ポートリプリケータ部
１３  ＡＣアダプタ
１４  入出力端子・ロック部
１４−１  入出力端子部
１４−２  電源供給端子
１４−３  ロック部
１５  ケーブル・ワイヤ
１５−１  各種入出力信号線
１５−２  電源線
１６  セキュリティワイヤ
１７  鍵
【図１】
2009020557.tif 000003
【図２】
2009020557.tif 000004